(57)【要約】      （修正有）【解決手段】一枚の金属製格子板の三箇所５，６，７を互いに平行な三本の直線に沿って、それぞれ内側に屈曲させてなる４面１，２，３，４を有し、取付け上端より第２面２が窓と平行で、第１屈曲部の内角が９０度から１４０度の範囲で、第２屈曲部６の内角が９０度であり、更に面格子の取り付け上端より第２面２と窓との距離が５０ｍｍから５００ｍｍであることを特徴とする。【効果】一枚の金属製格子板を切断や継ぎ足しをせずに、窓枠の上下幅に合わせて、屈曲させて取り付けるので、寸法の異なる窓枠への取付けが可能となり、軽量で柔軟性、強度に富み、コストも大幅に削減できる面格子が提供できる。【選択図】図２
2006112069.tif 000002
【特許請求の範囲】
【請求項１】
窓枠の外側に取り付ける面格子において、窓枠の上下幅に合わせて、一枚の金属製格子板の三箇所を互いに平行な三本の直線に沿って、それぞれ内側に屈曲させてなる４面を有し、取付け上端より第２面が窓と平行であることを特徴とする面格子
【請求項２】
窓枠の外側に取り付ける面格子において、窓枠の上下幅に合わせて、一枚の金属製格子板の三箇所を互いに平行な三本の直線に沿って、それぞれ内側に屈曲させてなる４面を有し、取付け上端より第２面が窓と平行であることを特徴とする面格子の製造方法
【請求項３】
取り付け上端より第１屈曲部の内角が９０度から１４０度の範囲で、第２屈曲部の内角が９０度であることを特徴とする請求項１記載の面格子
【請求項４】
取り付け上端より第１屈曲部の内角が９０度から１４０度の範囲で、第２屈曲部の内角が９０度であることを特徴とする請求項２記載の面格子の製造方法
【請求項５】
面格子の取り付け上端より第２面と窓との距離が５０ｍｍから５００ｍｍであることを特徴とする請求項３記載の面格子
【請求項６】
面格子の取り付け上端より第２面と窓との距離が５０ｍｍから５００ｍｍであることを特徴とする請求項４記載の面格子の製造方法
【発明の詳細な説明】
【技術分野】
【０００１】
本発明は、窓枠の上下幅に合わせて、一枚の金属製格子板の三箇所をそれぞれ内側に屈曲させてなる４面を有する窓用外付けの面格子に関するものである。
【背景技術】
【０００２】
窓のある部屋の明るさ、窓を開けてさわやかな風通し、窓外の景観、心和む安らぎが必要とされる。
【０００３】
冬期の窓からの日差しは自然の温かさ心地よさは不可欠とされる。
【０００４】
窓に容赦なく照りつける直射日光、日が沈むまで照り付ける西日への対策が必要である。
【０００５】
空き巣狙いの侵入方法で最も多いのはガラス破りとされている。泥棒は侵入にてこずるとその家を７割近くあきらめるとされている。
【０００６】
上記の観点から西側の窓には、よしず等の日除けや、面格子が設置される。
しかし、様々な大きさの窓が流通しているので、それぞれに専用サイズの面格子を準備する必要があった。また、従来、日除けと面格子を組み合わせて、日除けの固定と防犯を目的とする面格子は無かった。
【０００７】
【特許文献１】特開平７−２９３１３９号公報
【特許文献２】特開平１１−５６５９４号公報
【特許文献３】特開２００３−１５５８８１号公報
【発明の開示】
【発明が解決しようとする課題】
【０００８】
上述した従来の窓用面格子及び日除け具には次のような問題があった。
【０００９】
一般的に窓用面格子は、普通の取付具材であり簡単に壊れる恐れのある形状であった。
【００１０】
窓外側に日除け具を備えたものでは強風、突風などによる安定性、安全性の問題、特に２階に軽くて痛みやすい日除け具にあっては被害になる。
【００１１】
窓用面格子及び日除け具にあっては建物壁及び窓などに障害になったり、複雑な構造であっては使用が困難でコスト高が問題である。
【００１２】
本発明では、窓本来の機能を生かし、コストの面からも最も効率的効果的な構造で軽量かつ強度のある面格子を提供する。
【００１３】
さらに、本発明の面格子は奥行空間を有する形状で、日除け具の装着が出来、防犯に適し、装飾機能をも備え持っている。
【課題を解決するための手段】
【００１４】
上記の課題を達成するために、請求項１では、窓枠の上下幅に合わせて、一枚の金属製格子板の三箇所を互いに平行な三本の直線に沿って、それぞれ内側に屈曲させてなる４面を有し、取付け上端より第２面が窓と平行である面格子を提供する。
【００１５】
また、請求項２では、窓枠の上下幅に合わせて、一枚の金属製格子板の三箇所を互いに平行な三本の直線に沿って、それぞれ内側に屈曲させることを特徴とする４面を有し、取付け上端より第２面が窓と平行である面格子の製造方法を提供する。
【００１６】
また、請求項３では、取付け上端より第１屈曲部の内角が９０度から１４０度の範囲で、第２屈曲部の内角が９０度である請求項１記載面格子を提供する。
【００１７】
また、請求項４では、取付け上端より第１屈曲部の内角が９０度から１４０度の範囲で第２屈曲部の内角が９０度であることを特徴とする請求項２記載の面格子の製造方法を提供する。
【００１８】
また、請求項５では、取付け上端により第２面と窓枠との距離が５０ｍｍから５００ｍｍであることを特徴とする請求項３記載の面格子を提供する。
【００１９】
また、請求項６では、取付け上端より第２面と窓枠との距離が５０ｍｍから５００ｍｍであることをと特徴とする請求項４記載の面格子の製造方法を提供する。
【発明の効果】
【００２０】
本発明の面格子は、次のような効果を有する。
一枚の金属製格子板を切断や継ぎ足しをせずに、窓枠の上下幅に合わせて、屈曲させて取り付けるので、寸法の異なる窓枠への取り付けが可能となり、軽量で柔軟性、強度の効果がある。
また、沢山の材料を使用する必要が無いので、コストの面からも大幅に削減できる。
【発明を実施するための最良の形態】
【００２１】
本発明の面格子は４面から形成されるが、３面以下では、窓枠の上下幅に応じて旨く加工して取り付けることができない。また、５面以上では、構造が複雑になり、加工の手間が増える。
【００２２】
また、本発明の面格子では、第２面が窓と平行であるが、もし平行でなければ、面格子の両側面にさらに側面用の面格子を追加して取り付けること想定すると、側面用面格子の格子板からの切り抜き加工が困難となる。
【００２３】
また、本発明の面格子の第１屈曲部の内角は、９０度から１４０度の範囲であるが、
内角が、９０度以下では鋭角となり、折れ曲がり部分の強度低下の問題が生じる。
【００２４】
さらに、１４０度以上では、第２面と窓の間隔を十分確保することが出来なくなる。
【００２５】
また、本発明の面格子の第２屈曲部の内角は９０度であるが、９０度から外れれば、第３面が水平を保てなくなり、そこに飾り等を乗せた場合に傾いて不安定となり、不都合である。
【００２６】
また、本発明の面格子の第２面と窓との距離は、５０ｍｍから５００ｍｍであるが、５０ｍｍ以下では、窓までの距離が近すぎて防犯上問題がある。
さらに、５００ｍｍ以上では使用する格子板が大きくなるので、コストが高くなる。
【００２７】
また、本発明では、面格子の第１面、第２面の内側への日除け具の装着のために、すだれ等の日除け具の吊り下げ用のフック等の備品を備えておくことも出来る。
【００２８】
さらに、窓と面格子の間に空間があるため、第３面に各自で装飾品等のインテリアを載せることができる。
【００２９】
また、本発明の面格子の側面に側面用の面格子を追加して取り付けることも可能である。
【００３０】
以下本発明の実施例について図面を参照して説明する。
【実施例１】
【００３１】
縦１５００ｍｍ、横９００ｍｍ、升目が５０ｍｍ角、鋼線の直径が外枠部で６ｍｍ、その他で３ｍｍのスチール製格子板の三箇所をそれぞれ内側に屈曲させて加工して、上下幅９００ｍｍ、横幅９００ｍｍの窓枠用の面格子を製作した。
【００３２】
実施例１で製作した面格子の各部の寸法を表１に示した。
【実施例２】
【００３３】
実施例１で使用したのと同じスチール製格子板を加工して、上下幅１０００ｍｍ、横幅９００ｍｍの窓枠用の面格子を製作した。
【００３４】
実施例２で製作した面格子の各部の寸法を表１に示した。
【実施例３】
【００３５】
実施例１で使用したのと同じスチール製格子板を加工して、上下幅１１００ｍｍ、横幅９００ｍｍの窓枠用の面格子を製作した。
【００３６】
実施例３で製作した面格子の各部の寸法を表１に示した。
【実施例４】
【００３７】
縦１２００ｍｍ、横９００ｍｍ、升目が５０ｍｍ角、鋼線の直径が外枠部で６ｍｍ、その他で３ｍｍのスチール製格子板を加工して、上下幅６００ｍｍ、横幅９００ｍｍの窓枠用の面格子を製作した。
【００３８】
実施例４で製作した面格子の各部の寸法を表２に示した。
【実施例５】
【００３９】
実施例４で使用したのと同じスチール製格子板を加工して、上下幅７００ｍｍ、横幅９００ｍｍの窓枠用の面格子を製作した。
【００４０】
実施例５で製作した面格子の各部の寸法を表２に示した。
【実施例６】
【００４１】
実施例４で使用したのと同じスチール製格子板を加工して、上下幅８００ｍｍ、横幅９００ｍｍの窓枠用の面格子を製作した。
【００４２】
実施例６で製作した面格子の各部の寸法を表２に示した。
【実施例７】
【００４３】
縦１８００ｍｍ、横９００ｍｍ、升目が５０ｍｍ角、鋼線の直径が外枠部で６ｍｍ、その他で３ｍｍのスチール製格子板を加工して、上下幅１２００ｍｍ、横幅９００ｍｍの窓枠用の面格子を製作した。
【００４４】
実施例７で製作した面格子の各部の寸法を表３に示した。
【実施例８】
【００４５】
実施例７で使用したのと同じスチール製格子板を加工して、上下幅１３００ｍｍ、横幅９００ｍｍの窓枠用の面格子を製作した。
【００４６】
実施例８で製作した面格子の各部の寸法を表３に示した。
【実施例９】
【００４７】
実施例７で使用したのと同じスチール製格子板を加工して、上下幅１４００ｍｍ、横幅９００ｍｍの窓枠用の面格子を製作した。
【００４８】
実施例９で製作した面格子の各部の寸法を表３に示した。
【００４９】
以上の実施例では、面格子の第２面が窓と平行で距離が２２０ｍｍの空間があるため、室内へ風通しをよくすることができる。
【００５０】
本発明の実施例について説明したが、本発明は上記実施例に限定されるものではなく、適宜変形して実施することが可能である。
【図面の簡単な説明】
【００５１】
【図１】本発明の実施例１、実施例２、実施例３で使用した縦１５００ｍｍ、横９００ｍｍ、桝目５０ｍｍの金属製格子板
【図２】本発明の実施例１で製作した面格子の側面図
【図３】本発明の実施例２で製作した面格子の側面図
【図４】本発明の実施例３で製作した面格子の側面図
【図５】本発明の実施例２で製作した面格子の背面図（室内）
【図６】本発明の実施例２で製作した面格子の斜視図（室外）
【図７】本発明の実施例２の面格子を窓枠に取付けた状態での面格子、窓、壁を含む断面図
【符号の説明】
【００５２】
１  第１面
２  第２面
３  第３面
４  第４面
５  第１屈曲部
６  第２屈曲部
７  第３屈曲部
【００５３】
【表１】
2006112069.tif 000003
【００５４】
【表２】
2006112069.tif 000004
【００５５】
【表３】
2006112069.tif 000005
【図１】
2006112069.tif 000006
【図２】
2006112069.tif 000007
【図３】
2006112069.tif 000008
【図４】
2006112069.tif 000009
【図５】
2006112069.tif 000010
【図６】
2006112069.tif 000011
【図７】
2006112069.tif 000012